(57)【要約】    【課題】  オン操作を複数操作とし、オフ操作を単純化し、かつ、構成簡単にして確実な動作の切換スイッチを提案すること。    【解決手段】  操作ノブ１１に一体的に連結したシャフト１８に連結し、シャフト１８の回転に連動し、その軸方向移動には非連動としたロ−タ−１９と、このロ−タ−１９に備え操作ノブ１１に戻り回転力を与える捻りコイルばね２２と、前記シャフト１８の回転に非連動とし、その軸方向移動に連動させたスイッチ部としてのスライドブロック２０と、前記シャフト１８の規制突起１８ｄ、１８ｅとケ−ス１４の切込溝２７、２８とで形成し、操作ノブ１１の押込み位置の回転と回転位置の引出しを可能とした操作規制部とを備え、操作ノブ１１の回転後の引出しによるスライドブロック２０の移動でオン、操作ノブ１１の押込みによる復動によるスライドブロック２０が移動してオフする構成となっている。【選択図】  図３
2006040606.tif 000002
【特許請求の範囲】
【請求項１】
操作ノブの前後方向操作と回転操作とによってスイッチ切換えする切換スイッチにおいて、
操作ノブに戻り回転力を与える捻りばねと、
操作ノブの押し込み位置を保ち、その押し込み位置で操作ノブの回転を許容すると共に、回転させた操作位置で操作ノブの引き出しを可能とし、かつ、前記捻りばねによる戻り回転を阻止する操作規制部と、
操作ノブの引き出しに連動して切換え動作するスイッチ部とからなることを特徴とする切換スイッチ。
【請求項２】
操作ノブの前後方向操作と回転操作とによってスイッチ切換えする切換スイッチにおいて、
操作ノブに一体的に連結したシャフトと、このシャフトを回転可能に軸支させたケ−スと、操作ノブの押し込みに連動してオフ位置に、その引き出しでオン位置に切換えられるスイッチ部とを備え、
さらに、操作ノブに戻り回転力を与える捻りばねと、
前記シャフトに設けた規制突部と前記ケ−スに設けた切込溝とで形成した操作規制部とを設け、前記操作規制部によって操作ノブの押し込み位置を保ち、その押し込み位置で操作ノブの回転を許容すると共に、回転させた操作位置で操作ノブの引き出しを可能とし、かつ、前記捻りばねによる戻り回転を阻止する構成としたことを特徴とする切換スイッチ。
【請求項３】
請求項１又は２に記載した切換スイッチにおいて、
操作ノブに引き出し方向のばね勢力を与える圧縮ばねを設け、操作ノブの引き出し方向に加わるこの圧縮ばねのばね勢力を前記捻りばねの戻り回転力に対して弱く設定したことを特徴とする切換スイッチ。
【請求項４】
請求項２又は３に記載した切換スイッチにおいて、
ケ−ス内面には、前記シャフトの軸方向に対して直交する方向に形成したストッパ−面を有する凹溝と前記シャフトの軸方向に形成した係合溝とを一連に形成した切込溝を設け、
シャフトに設けた前記規制突部を前記ストッパ−面に当接させて操作ノブの押し込み位置を保ち、かつ、前記凹溝によって操作ノブの回転を許容し、前記規制突部を前記係合溝に係合させて操作ノブの引き出しを可能にし、かつ、前記捻りばねによる操作ノブの戻り回転を阻止する操作規制部を備えたことを特徴とする切換スイッチ。
【請求項５】
請求項２〜４のいずれかに記載した切換スイッチにおいて、
操作ノブの前後方向の操作に連動し、その回転操作に非連動となるようにして前記シャフトに連結したスライドブロックと、
前記スライドブロックを前記シャフトの軸方向に移動可能として収納させたタ−ミナルベ−スとを備え、
前記スライドブロックに設けた可動接点をタ−ミナルベ−スの固定接点に接続可能としたことを特徴とする切換スイッチ。
【請求項６】
請求項２〜５のいずれかに記載した切換スイッチにおいて、
操作ノブの回転操作に連動し、その前後方向の操作に非連動となるようにして前記シャフトに連結したロ−タ−を設け、
前記捻りばねの一端を前記ケ−スに、その他端を前記ロ−タ−に各々係合させたことを特徴とする切換スイッチ。
【請求項７】
請求項２〜６のいずれかに記載した切換スイッチにおいて、
前記シャフトの外周に防水用及び防塵用の弾性リングを設けたことを特徴とする切換スイッチ。
【発明の詳細な説明】
【技術分野】
【０００１】
本発明は、操作ノブの前後方向の操作と回転操作によってスイッチ切換えする切換スイッチに関する。
【背景技術】
【０００２】
農作業機のエンジン始動スイッチは、緊急時にエンジンを即座に停止できるように操作ノブを叩いて押し込むことにより、スイッチ接点をオンからオフに瞬時に切換えられるようになっている。
【０００３】
また、操作ノブを誤って操作したり、衣服が引っ掛かって操作されたり、或いは、子供の悪戯によって操作されてエンジンが始動することがないように、初期位置（オフ位置）にある操作ノブを一回操作したのではスイッチオンせず、２回以上の複数の操作によりスイッチオンし、エンジンが始動するようになっている。
【０００４】
このようなエンジン始動スイッチ、すなわち、切換スイッチには様々な構成のものが提案されている。
例えば、特開平１１−２２６１２号公報に開示されている作業機のエンジン始動スイッチは、操作ノブを押し込み、この押し込み状態で操作ノブを回転することにより、スイッチ動作してエンジンが始動し、この状態で操作ノブの押し込み操作を解放すると、操作ノブが圧縮ばねによって引き上げられ、エンジン始動状態でロックされる。
【０００５】
また、エンジン始動状態で操作ノブを押し込み操作すると、操作ノブが捻りばねによって戻り回転してスイッチが復動し、その後に操作ノブが圧縮ばねによって引き上げられ、エンジン停止状態でロックされる。
【０００６】
このエンジン始動スイッチは、操作ノブを押し込みながら回転してエンジン始動位置にスイッチ動作させたときに、操作ノブの押し込み操作を解放するため、操作ノブが圧縮ばねによって引き上げられロックされる前に、捻りばねによって戻り回転され、エンジン停止位置に復動することがあり、スイッチ動作の確実性に問題があった。
【０００７】
さらに、特開２００３−１７８６４３号公報に開示されている押ボタンスイッチは、操作ノブを押し込み操作することにより、スイッチがオン状態にロックされ、このスイッチのオン状態で操作ノブを捻り回転して引き戻すと、ロックが解除されてスイッチのオフ状態となる。
【０００８】
この押ボタンスイッチは、スイッチがオンからオフに切換わっても操作ノブの回転停止位置が同じ状態となるため、スイッチの動作状態が確認し難い上、操作ノブをオフ位置にロックするロック機構が複雑であるため、部品点数が多く、生産コストが高くなる。
【０００９】
【特許文献１】特開平１１−２２６１２号公報
【特許文献２】特開２００３−１７８６４３号公報
【発明の開示】
【発明が解決しようとする課題】
【００１０】
本発明は、上記した従来の切換スイッチの問題点にかんがみ、オン操作を複数操作とし、オフ操作を単純化し、構成簡単にして確実な動作の切換スイッチを提案することを目的とする。
【課題を解決するための手段】
【００１１】
上記した目的を達成するため、本発明では、第１の発明として、操作ノブの前後方向操作と回転操作とによってスイッチ切換えする切換スイッチにおいて、操作ノブに戻り回転力を与える捻りばねと、操作ノブの押し込み位置を保ち、その押し込み位置で操作ノブの回転を許容すると共に、回転させた操作位置で操作ノブの引き出しを可能とし、かつ、前記捻りばねによる戻り回転を阻止する操作規制部と、操作ノブの引き出しに連動して切換え動作するスイッチ部とからなることを特徴とする切換スイッチを提案する。
【００１２】
第２の発明としては、操作ノブの前後方向操作と回転操作とによってスイッチ切換えする切換スイッチにおいて、操作ノブに一体的に連結したシャフトと、このシャフトを回転可能に軸支させたケ−スと、操作ノブの押し込みに連動してオフ位置に、その引き出しでオン位置に切換えられるスイッチ部とを備え、さらに、操作ノブに戻り回転力を与える捻りばねと、前記シャフトに設けた規制突部と前記ケ−スに設けた切込溝とで形成した操作規制部とを設け、前記操作規制部によって操作ノブの押し込み位置を保ち、その押し込み位置で操作ノブの回転を許容すると共に、回転させた操作位置で操作ノブの引き出しを可能とし、かつ、前記捻りばねによる戻り回転を阻止する構成としたことを特徴とする切換スイッチを提案する。
【００１３】
第３の発明としては、上記した第１又は第２の発明の切換スイッチにおいて、操作ノブに引き出し方向のばね勢力を与える圧縮ばねを設け、操作ノブの引き出し方向に加わるこの圧縮ばねのばね勢力を前記捻りばねの戻り回転力に対して弱く設定したことを特徴とする切換スイッチを提案する。
【００１４】
第４の発明としては、上記した第２又は第３の発明の切換スイッチにおいて、ケ−ス内面には、前記シャフトの軸方向に対して直交する方向に形成したストッパ−面を有する凹溝と前記シャフトの軸方向に形成した係合溝とを一連に形成した切込溝を設け、シャフトに設けた前記規制突部を前記ストッパ−面に当接させて操作ノブの押し込み位置を保ち、かつ、前記凹溝によって操作ノブの回転を許容し、前記規制突部を前記係合溝に係合させて操作ノブの引き出しを可能にし、かつ、前記捻りばねによる操作ノブの戻り回転を阻止する操作規制部を備えたことを特徴とする切換スイッチを提案する。
【００１５】
第５の発明としては、上記した第２〜第４のいずれかの発明の切換スイッチにおいて、操作ノブの前後方向の操作に連動し、その回転操作に非連動となるようにして前記シャフトに連結したスライドブロックと、前記スライドブロックを前記シャフトの軸方向に移動可能として収納させたタ−ミナルベ−スとを備え、前記スライドブロックに設けた可動接点をタ−ミナルベ−スの固定接点に接続可能としたことを特徴とする切換スイッチを提案する。
【００１６】
第６の発明としては、上記した第２〜第５のいずれかの発明の切換スイッチにおいて、操作ノブの回転操作に連動し、その前後方向の操作に非連動となるようにして前記シャフトに連結したロ−タ−を設け、前記捻りばねの一端を前記ケ−スに、その他端を前記ロ−タ−に各々係合させたことを特徴とする切換スイッチを提案する。
【００１７】
第７の発明としては、上記した第２〜第６のいずれかの発明の切換スイッチにおいて、前記シャフトの外周に防水用及び防塵用の弾性リングを設けたことを特徴とする切換スイッチを提案する。
【発明の効果】
【００１８】
本発明の切換スイッチは、押し込み位置となっている操作ノブを回転操作した後、操作ノブを引き出すように引っ張り操作する２回操作によってスイッチ部が動作する。
【００１９】
また、操作ノブは、捻りばねの戻り回転力に抗して回転させた状態で引っ張り操作するため、捻りばねの負荷を意識して勢いよく引っ張り操作するものとなるから、確実にスイッチ動作する切換スイッチとなる。
【００２０】
さらに、操作ノブを叩いて押し込み操作するだけで、操作ノブが捻りばねのばね力で戻り回動し、スイッチが復動する。
この結果、操作ノブの押し込み位置と引き出し位置とで操作ノブの回転状態が異なるので、スイッチのオン、オフ状態が容易に判別することができる。
【００２１】
また、第３の発明のように、操作ノブを後退方向に付勢する圧縮ばねを設ければ、引き出し位置にある操作ノブが振動などによって前進することがなく、その上、操作ノブを引き出し操作させるときに圧縮ばねのばね力が加わるので、操作ノブを確実に引き出し位置に操作することができ、スイッチ動作の確実性を高めることができる。
【００２２】
一方、第４の発明のように、ケ−ス内面に形成したストッパ−面と係合溝とを設け、そのストッパ−面に当接させ、係合溝に係合する規制突部をシャフトに設けて構成した操作規制部を備えれば、操作ノブの引き出す位置を限定することができるので、操作ノブを所定の回転位置で意図的に引き出し操作させない限りスイッチ動作しない切換スイッチとなる。
【００２３】
また、操作ノブの引き出しによって、シャフトの規制突部がケ−ス内面の係合溝に係合するため、捻りばねの戻り回転力を確実に阻止することができる。
【００２４】
さらに、第５の発明のように構成すれば、可動接点を有するスライドブロックが操作ノブの前後方向の操作のみに連動してスイッチ動作するから、スイッチ接点部の不要な移動とガタツキがなく、操作ノブの操作に連動してすばやいスイッチ接点部の切換えができる。
【００２５】
また、第６の発明の捻りばねと第７の発明の弾性リングを設ければ、弾性リング自体の弾性力に加え、捻りばねによる横方向の荷重がシャフトに掛かるので、弾性リングがケ−スに圧接され、弾性リングの摩擦抵抗によるクリック感を得ることができる。
【００２６】
その上、操作ノブを引き出すとき、弾性リングの初期抵抗が生ずるので、操作者に操作ノブを勢いよく引き出し操作させることができる一方、弾性リングの摩擦抵抗と前記した圧縮ばねのばね力と捻りばねによる横方向の荷重により、振動などによる操作ノブの前進移動を確実に防止することができる。
なお、弾性リングはシャフトとケ−スとの間から侵入する雨水などの防水に効果がある。
【発明を実施するための最良の形態】
【００２７】
次に、農作業機のエンジン始動スイッチとして実施した本発明の切換スイッチについて図面に沿って説明する。
【００２８】
図１は切換スイッチの正面図、図２は同切換スイッチの側面図である。
この切換スイッチ１０は、図示状態でオフとなっており、このオフ状態からオンさせる場合には、操作ノブ１１を矢印１２方向に回転させて指標１３をＯＮ位置に合せた後に操作ノブ１１を図２に示す一点鎖線の如く引き出す。
操作ノブ１１のこの引き出し操作によってスイッチ部がオンしてエンジンが始動する。
【００２９】
また、オン状態からオフさせる場合は、操作ノブ１１を押し込む。
すなわち、図２に示す一点鎖線から実線のように操作ノブ１１を押し込むと、操作ノブ１１が捻りコイルばねのばね力によって矢印１２とは反対方向に回転し、指標１３がＯＦＦ位置となる。
操作ノブ１１の上記の押し込み操作によってスイッチ部がオフしてエンジンが停止する。
【００３０】
このように、この切換スイッチ１０は、操作ノブ１１の回転と引き出しの２操作によってオンさせるものであるから、操作ノブ１１が誤って操作されたときや子供の悪戯によって操作されたときなどにはスイッチ部がオンせず、エンジンが始動しない。
【００３１】
また、操作ノブ１１を押し込むだけでスイッチ部がオンからオフに切換わるので、エンジンの緊急停止時には操作ノブ１１を叩き操作することで即座にエンジンを停止させることができる。
【００３２】
その他、図１、図２に示した参照符号１４はケ−ス、１５は防水ブ−ツ、１６はスイッチコ−ド、１７は農作業機のスイッチ取付板部を各々示す。
【００３３】
続いて、上記した切換スイッチ１０について図３以下の各図を参照して詳細に説明する。
図３はオフ状態にある上記切換スイッチ１０の断面図、図４はオン状態にある上記切換スイッチ１０の断面図である。
【００３４】
図示する如く、この切換スイッチ１０は、操作ノブ１１にシャフト１８を一体的に取付けてあり、また、このシャフト１８が回転と軸心方向の移動を可能となるようにしてケ−ス１４に軸支させてある。
さらに、上記したシャフト１８は、ケ−ス１４内に配設したロ−タ−１９と、スライドブロック２０を連動するようになっている。
【００３５】
上記シャフト１８は、図５に示した斜視図より分かるように、シャフト１８の上方部１８ａが操作ノブ１１に一体的に取付ける連結部、その下方部の角形部１８ｂがロ−タ−１９との連結部、この角形部１８ｂの下面に設けた孔部１８ｃがスライドブロック２０の連結部となっている。
【００３６】
また、このシャフト１８には、操作規制部を形成する規制突部１８ｄ、１８ｅが周囲方向に対称的に設けてあり、さらに、その周囲部には弾性リング２１を嵌着するリング凹溝１８ｆが設けてある。
【００３７】
ロ−タ−１９は、図７、図８の詳細図より分かる通り、容状体のもので、その底部にはシャフト１８の角形部１８ｂを挿通する角形孔１９ａが設けてある。
このロ−タ−１９は、角形部１８ｂが角形孔１９ａに挿通するため、シャフト１８の回転力を受けて回転するが、シャフト１８が軸心方向に移動するときは、角形部１８ｂが角形孔１９ａ内を摺動することから、シャフト１８の軸心方向の移動には非連動となる。
【００３８】
また、上記ロ−タ−１９には捻りコイルばね２２が内装してある。
この捻りコイルばね２２は、その一端部２２ａをロ−タ−１９の細溝１９ｂに係止し、その他端部２２ｂをケ−ス１４の内面に形成したばね受け溝１４ａに係止してあり、ロ−タ−１９がシャフト１８に連動されて回転することにより、ばね力を蓄えるようになっている。
【００３９】
スライドブロック２０は、図６、図９、図１０に詳細図として示してあるように、ブロック部２０ａの上面に連結軸部２０ｂを、その下面にばね受け軸２０ｃを各々突出し、また、ブロック部２０ａの左右には回転止片部２０ｄ、２０ｅが一体的に形成してある。
【００４０】
さらに、このスライドブロック２０には、ブロック部２０ａより横方向に突出させた可動接点２３が備えてある。
なお、可動接点２３はばねによる突出勢力が与えてある。
【００４１】
上記したスライドブロック２０は、割溝を形成した連結軸部２０ｂをシャフト１８の孔部１８ｃに挿入し、その連結軸部２０ｂに設けた段形部２０ｆを孔部１８ｃ内の係止爪部１８ｇ（図３、図４参照）に係合させる。
このように連結したスライドブロック２０は、シャフト１８に回転自在となり、シャフト１８の回転には非連動となり、シャフト１８の軸心方向の移動に連動してタ−ミナルベ−ス２４内で上下方向に移動する。
【００４２】
タ−ミナルベ−ス２４は、図９、図１０の詳細図に示したように、ケ−ス１４の下方内面に固着してあり、これには、スライドブロック２０を内装してある。
このタ−ミナルベ−ス２４の内側面には固定接点２５が設けてあり、スライドブロック２０の可動接点２３がその固定接点２５に接触するようになっている。
【００４３】
また、上記のタ−ミナルベ−ス２４には、回転止片部２０ｄ、２０ｅを案内してスライドブロック２０を非回転に保持するガイド溝２４ａが設けてある。
さらに、このタ−ミナルベ−ス２４内には、圧縮ばね２６を設け、この圧縮ばね２６によってスライドブロック２０に押し上げ勢力を与えている。
【００４４】
一方、ケ−ス１４に一体形成した内筒部１４ｂの内面には、操作規制部を形成する切込溝２７、２８が対称位置に設けてある。
これら切込溝２７、２８は、図１１に示す詳細図より分かる通り、ストッパ−面２７ａを有する凹溝２７ｂと、この凹溝２７ｂと一連とした縦長の係合溝２７ｃとから形成してある。
なお、切込溝２８は切欠溝２７と同形状となっている。
【００４５】
上記した切込溝２７には、シャフト１８の規制突起１８ｄが、切込溝２８には他の規制突起１８ｅが各々摺動可能に突入し、これら切込溝と規制突起によって操作ノブ１１の押し込み位置、引き出し位置、回転位置を定めている。
【００４６】
また、切込溝２７の係合溝２７ｃは、その横幅がシャフト１８の規制突起１８ｄの横幅に対してクリアランスが狭くなるように形成してある。
なお、切込溝２８の係合溝とシャフト１８の規制突起の横幅についても同様となっている。
【００４７】
このように構成することにより、操作ノブ１１をＯＮ位置に回転させただけではスイッチ部がオンしない。
すなわち、操作ノブ１１をＯＮ位置に回転操作し、その操作力を解放させると、操作ノブ１１が捻りコイルばね２２による戻り回転力によって直ちにＯＦＦ位置方向に回転を始めるため、規制突起１８ｄが係合溝２７ｃの進入位置からずれる。
【００４８】
このことから、操作ノブ１１には、圧縮ばね２６による押し上げ力が加わっているが、規制突起１８ｄが係合溝２７ｃ内に進入できないため、操作ノブ１１が引き出し位置に移動せずにＯＦＦ位置に戻り回転してスイッチオフ状態を保つ。
【００４９】
したがって、操作ノブ１１を捻りコイルばね２２のばね力に抗してＯＮ位置まで回転操作し、その回転操作を意識して維持しながら引き出し操作することにより、規制突起１８ｄが係合溝２７ｃ内に進入し、操作ノブ１１の引き出しが可能になる。
【００５０】
換言すれば、この切換スイッチ１０は、操作ノブ１１をＯＮ位置まで回転させる操作と、その回転位置で回転操作を維持しながら操作ノブ１１を意識的に引き出す操作の２操作によってスイッチ部がオンする。
【００５１】
なお、オフさせる場合は、操作ノブ１１を押し込み操作するだけでよい。
操作ノブ１１を押し込むと、規制突起１８ｄが係合溝２７ｃを抜け出て凹溝２７ｂ内に移るから、この規制突起１８ｄが凹溝２７ｂを移動可能となり、操作ノブ１１が捻りコイルばね２２による戻り回転力を受けてＯＦＦ位置に回転する。
【００５２】
次に、上記の如く構成した切換スイッチ１０の動作について説明する。
先ず、操作ノブ１１を圧縮ばね２６のばね力に抗して押し込み操作すると、シャフト１８が捻りコイルばね２２のばね力で左回転することから、操作ノブ１１が左回転され、シャフト１８の規制突起１８ｄが切込溝２７の凹溝２７ｂ内を移動し、この規制突起１８ｄが図１２（Ａ）に示すように、凹溝２７ｂの一側壁に突き当たり、操作ノブ１１の左回転が停止される。
【００５３】
操作ノブ１１を上記のように押し込み左回転させると、その指標１３がＯＦＦ位置となり、切換スイッチ１０が図１〜図３に示すようにオフ状態となる。
なおこのオフ状態では、シャフト１８の規制突起１８ｄが切込溝２７のストッパ−面２７ａに当接し、操作ノブ１１の上昇移動が阻止され、また、捻りコイルばね２２のばね力によって操作ノブ１１の左回転位置が保たれる。
【００５４】
なお、図１２は、シャフト１８の規制突起１８ｄが切込溝２７内を移動する状態を示す説明であるが、シャフト１８の規制突起１８ｅも同様に切込溝２８内を移動する。
【００５５】
また、上記した如く操作ノブ１１を押し込むと、スライドブロック２０がタ−ミナルベ−ス２４内で下降移動するため、可動接点２３が図１３（Ａ）に示すようにオフの固定接点２５ｂに接触するようになる。
なお、図１３は可動接点２３と固定接点２５の接触関係を示す説明図であり、２５ａは共通固定接点、２５ｂはオフ固定接点、２５ｃはオン固定接点を示す。
【００５６】
切換スイッチ１０をオンさせる場合には、操作ノブ１１を右回転させた後に引き出す。
つまり、ＯＦＦ位置にある操作ノブ１１を捻りコイルばね２２のばね力に抗して右回転させると、シャフト１８の規制突起１８ｄが切込溝２７の凹溝２７ｂ内を移動し、図１２（Ｂ）に示すようにその他方壁に突き当たり、操作ノブ１１の右回転が停止される。
なお、この動作により規制突起１８ｄが係合溝２７ｃ内に移動可能な位置に進む。
【００５７】
この動作段階で操作ノブ１１の指標１３がＯＮ位置となるが、スライドブロック２０がシャフト１８の回転に非連動となっているため下降位置となっており、可動接点２３は図１３（Ｂ）に示すようにオフ固定接点２５ｂに接触したままとなっている。
【００５８】
続いて、操作ノブ１１の右回転操作を維持したままで操作ノブ１１を引き出す。
この引き出し操作により、シャフト１８の規制突起１８ｄが図１２（Ｃ）に示すように切込溝２７の係合溝２７ｃ内を進む。
また、スライドブロック２０がシャフト１８に連動して上昇移動し、その可動接点２３が図１３（Ｃ）に示すように、オン固定接点２５ｃに接触する。
【００５９】
したがって、操作ノブ１１の右回転操作と、引き出し操作の２操作によって図４に示すオン動作となる。
また、このオン動作状態では、操作ノブ１１が捻りコイルばね２２による戻り回転力を受けているが、シャフト１８の規制突起１８ｄが係合溝２７ｃの側壁に当接するため、その戻り回転力が阻止される。
【００６０】
また、操作ノブ１１は引き出し操作を解放しても、規制突起１８ｄが捻りコイルばね２２のばね力によって係合溝２７ｃの側壁に当接すること、圧縮ばね２６によって上昇移動力が加わっていること、弾性リング２１がケ−ス１４に接触することによる摩擦抵抗があることから引き出し位置が保たれる。
【００６１】
上記した通り、本発明の切換スイッチは、操作ノブ１１を捻りコイルばね２２のばね力に抗して回転操作した後、その回転操作力を維持したまま操作ノブを引き出す操作の２操作によってオンさせるので、誤ってオンされたり、子供の悪戯になどによってオンされることがない。
また、操作ノブを押し込むだけでオフ動作することから、緊急にオフさせるときには、操作ノブを叩き操作すればオンからオフに切換わる。
【００６２】
なお、本発明の実施に際しては、ばね力で突出勢力を与えた小球をスライドブロック２０に設け、この小球をタ−ミナルベ−ス２４に設けた小孔に落入させるように構成したクリック機構により、操作ノブ１１の押し込みと引き出しに節度感をもたせることができる。
【産業上の利用可能性】
【００６３】
農作業機のエンジン始動スイッチの他、各種装置のＰＴＯ（ＰＯＷＥＲ  ＴＡＫＥ  ＯＦＦ）スイッチ、非常停止用の緊急停止スイッチなどとして利用することができる。
【図面の簡単な説明】
【００６４】
【図１】農作業機のエンジン始動スイッチとして実施した切換スイッチの正面図である。
【図２】上記した切換スイッチの側面図である。
【図３】オフ動作状態を示す上記切換スイッチの断面図である。
【図４】オン動作状態を示す上記切換スイッチの断面図である。
【図５】上記切換スイッチに備えたシャフトの斜視図である。
【図６】上記切換スイッチに備えたスライドブロックの斜視図である。
【図７】上記切換スイッチに備えたロ−タ−と捻りコイルばねを示した斜視図である。
【図８】上記したロ−タ−と捻りコイルばねの断面図である。
【図９】上記切換スイッチに備えたスライドブロックとタ−ミナルベ−スとを示した正面図である。
【図１０】図９上のＡ−Ａ線断面図である。
【図１１】操作ノブの操作規制部を示した上記切換スイッチのケ−ス簡略図である。
【図１２】操作ノブの操作規制部の動作を示す説明図である。
【図１３】可動接点と固定接点の接触動作を示す簡略図である。
【符号の説明】
【００６５】
１０  切換スイッチ
１１  操作ノブ
１４  ケ−ス
１８  シャフト
１８ｂ  角形部
１８ｃ  孔部
１８ｄ、１８ｅ  規制突起
１９  ロ−タ−
２０  スライドブロック
２０ｂ  連結軸部
２１  弾性リング
２２  捻りコイルばね
２３  可動接点
２４  タ−ミナルベ−ス
２５  固定接点
２６  圧縮ばね
２７  切込溝
２７ａ  ストッパ−面
２７ｂ  凹溝
２７ｃ  係合溝
２８  切込溝
【図１】
2006040606.tif 000003
【図２】
2006040606.tif 000004
【図３】
2006040606.tif 000005
【図４】
2006040606.tif 000006
【図５】
2006040606.tif 000007
【図６】
2006040606.tif 000008
【図７】
2006040606.tif 000009
【図８】
2006040606.tif 000010
【図９】
2006040606.tif 000011
【図１０】
2006040606.tif 000012
【図１１】
2006040606.tif 000013
【図１２】
2006040606.tif 000014
【図１３】
2006040606.tif 000015